(57)【要約】【課題】  ベッドや診察台等の仰臥台の側部の端から適宜離れた位置に支柱部材を立設状態で支持し，支柱部材に，グリップやパッド等から成る介助部材を支持する構成の仰臥台取付型介助装置の従来のものでは，不使用時の格納が面倒であったり，延設用部材としての連結調節杆を基部フレームに，がたつきなく連結するのが比較的困難であり，がたつきなく連結しようとすると，着脱に手間がかかる構造となってしまう等の課題があった。【解決手段】  そこで本発明では、仰臥台１の基部フレーム２の長手部材４に延設用部材７の一端側を着脱可能に連結して，延設用部材を仰臥台の側部に延設すると共に，延設用部材の他端に支柱部材１８を着脱可能に連結して立設する構成とし，支柱部材に介助部材３１を支持する構成を提案している。【選択図】    図１
2006341017.tif 000002
【特許請求の範囲】
【請求項１】
仰臥台の基部フレームの長手部材に延設用部材の一端側を着脱可能に連結して，延設用部材を仰臥台の側部に延設すると共に，延設用部材の他端に支柱部材を着脱可能に連結して立設する構成とし，支柱部材に介助部材を支持する構成としたことを特徴とする仰臥台取付型介助装置
【請求項２】
仰臥台の基部フレームの長手部材に延設用部材の一端側を着脱可能に連結して，延設用部材を仰臥台の側部に延設すると共に，延設用部材の他端横側に支柱部材を着脱可能に連結して立設する構成とし，支柱部材に介助部材を支持する構成としたことを特徴とする仰臥台取付型介助装置
【請求項３】
延設用部材の一端側の前方に支持杆を突設し，基部フレームには，上記支持杆を嵌合する嵌合筒体を設けると共に，延設用部材と長手部材とを着脱可能に固定するクランプ装置を設けたことを特徴とする請求項１又は２に記載の仰臥台取付型介助装置
【請求項４】
嵌合筒体は，基部フレームの長手部材に直交する方向に設けたことを特徴とする請求項３に記載の仰臥台取付型介助装置
【請求項５】
嵌合筒体は，基部フレームの長手方向に直交する方向から角度を持たせて設けたことを特徴とする請求項３に記載の仰臥台取付型介助装置
【請求項６】
基部フレームは，仰臥台の長手方向に並置した長手部材と，それらを結合する幅方向の結合部材とから構成するものとし，嵌合筒体は結合部材を兼用する構成としたことを特徴とする請求項３に記載の仰臥台取付型介助装置
【請求項７】
嵌合筒体は，仰臥台の両方の側部側において延設用部材の支持杆を嵌合可能に長手部材に設けたことを特徴とする請求項３〜６までのいずれか１項に記載の仰臥台取付型介助装置
【請求項８】
クランプ装置は，延設用部材の一端側の上部に上下方向に回動可能に支持した操作レバーと，操作レバーの回動軸よりも離れた位置で，この回動軸と平行な回動軸の回りに回動可能に支持した軸部材と，この軸部材に突設した支持棒体と，支持棒体の先端から下方に突設した第１の挟持部材と，延設用部材の一端側の下部前方に突設した第２の挟持部材とから構成し，第２の挟持部材の前側に係合穴を設けると共に，第１の挟持部材に，係合穴に係合する突部を設け，上記操作レバーは，上記軸部材に対してオーバーセンタートグル機構を構成するように回動範囲を設定したことを特徴とする請求項３に記載の仰臥台取付型介助装置
【請求項９】
支柱部材の下端側の横方向に支持杆を突設し，延設用部材の他端側に，延設用部材の長手方向と直交する方向に，上記支持杆を嵌合する嵌合筒体を設けると共に，支柱部材と延設用部材とを固定するクランプ装置を設けたことを特徴とする請求項２に記載の仰臥台取付型介助装置
【請求項１０】
クランプ装置は，延設用部材の他端側の上側に，延設用部材の長手方向の回動軸の回りに回動可能に支持した操作レバーと，操作レバーの回動軸よりも離れた位置で，この回動軸と平行な回動軸の回りに回動可能に支持した軸部材と，軸部材に突設した棒体と，棒体の先端に設けた係合突部と，支柱部材の下端側から横方向に突設した連結用板体と，この連結用板体の上部に設けたフック状係合部とを設け，上記操作レバーは，上記軸部材に対してオーバーセンタートグル機構を構成するように回動範囲を設定したことを特徴とする請求項９に記載の仰臥台取付型介助装置
【請求項１１】
操作レバーの回動軸を延設用部材の幅方向の中央に位置させて左右方向に転動可能に構成したことを特徴とする請求項１０に記載の仰臥台取付型介助装置
【発明の詳細な説明】
【技術分野】
【０００１】
本発明は，ベッドや診察台等の仰臥台の側部の端から適宜離れた位置に支柱部材を立設状態で支持し，支柱部材に，グリップやパッド等から成る介助部材を支持する構成の仰臥台取付型介助装置に関するものである。
【背景技術】
【０００２】
ベッドの使用者が，ベッドに対しての乗り降りを行う際に，身体の保持を容易に確実に行えるようにするための介助装置が従来から各種提案されている。このような介助装置の一つの型式として，仰臥台の側部の端から適宜離れた位置に支柱部材を立設状態で支持し，支柱部材に，グリップやパッド等から成る介助部材を支持する構成の仰臥台取付型介助装置があり，このような型式の介助装置は，支柱部材をベッドの基部フレームで支持するため，棒体を床と天井の間で突っ張って支持する型式のものよりも設置の自由度が高く，しかも支柱部材を確実に支持できるというような利点がある。
【０００３】
このような型式の介助装置の従来例としては，例えば特許文献１〜４に記載されているものが提案されている。
【０００４】
まず，特許文献１に記載のものは，図１２，図１３に示すように，介助手段としての複数のポールａを立設状態で支持した支柱部材ｂの基部ｃに，ベッド側部からの延設用の部材として連結調節杆ｄの一端を取り付け，この連結調節杆ｄの他端を，連結手段ｅより，ベッドｆの基部フレームｇの直交方向に着脱可能に連結した構成である。連結手段ｅは，上部材ｈと下部材ｉと，これらを連結するボルト（図示省略）等から成り，上部材ｈと下部材ｉにより基部フレームｇと連結調節杆ｄを直交状態で挟持する構成である。
【０００５】
次に特許文献２に記載のものは，特許文献１と概ね同様な構成であるが，ポールは一対のものをベッドの幅方向に配置した構成である。
【０００６】
次に特許文献３に記載のものは，特許文献１又は２と同様にベッドの基部フレームに連結する連結調節杆を，１本の棒体として構成して，その端部にポールを立設し，これに軟質のグリップを取り付けたり，長環状の介助パイプを取り付ける構成である。
【０００７】
更に特許文献４は，特許文献３とは異なり，連結調節杆は並置した一対の棒体として構成して，それらの端部に一対のポールを立設すると共に，それらの上端を一体に構成し，ポールに長環状の介助パイプを取り付ける構成である。
【特許文献１】特許第２９６５１４５号公報
【特許文献２】特許第２９６５１４６号公報
【特許文献３】特許第２９６５１４８号公報
【特許文献４】特許第３０３５８５９号公報
【発明の開示】
【発明が解決しようとする課題】
【０００８】
以上に説明した従来のベッド取付型介助装置では，次のような課題がある。
１．連結調節杆とポール又は支柱部材とは着脱ができないか，又は着脱に手間がかかる構造であるため，不使用時にはこれらを一体に格納する必要があり，大きな格納スペースが必要で，面倒でもある。
２．延設用部材としての連結調節杆を基部フレームに，がたつきなく連結するのが比較的困難であり，がたつきなく連結しようとすると，着脱に手間がかかる構造となってしまう。
３．連結調節杆の端部又は連結調節杆の延長上に取り付けた支柱部材の基部にポールが立設されているので，ポール又はそれに取り付けた長環状の介助パイプを使用する時に，連結調節杆が足の邪魔になる場合がある。
本発明は、このような課題を解決することを目的とするものである。
【課題を解決するための手段】
【０００９】
上述した課題を解決するために、本発明では、仰臥台の基部フレームの長手部材に延設用部材の一端側を着脱可能に連結して，延設用部材を仰臥台の側部に延設すると共に，延設用部材の他端に支柱部材を着脱可能に連結して立設する構成とし，支柱部材に介助部材を支持する構成とした仰臥台取付型介助装置を提案する。
【００１０】
また本発明では，仰臥台の基部フレームの長手部材に延設用部材の一端側を着脱可能に連結して，延設用部材を仰臥台の側部に延設すると共に，延設用部材の他端横側に支柱部材を着脱可能に連結して立設する構成とし，支柱部材に介助部材を支持する構成とした仰臥台取付型介助装置を提案する。
【００１１】
そして本発明では，以上の構成において，延設用部材の一端側の前方に支持杆を突設し，基部フレームには，上記支持杆を嵌合する嵌合筒体を設けると共に，延設用部材と長手部材とを着脱可能に固定するクランプ装置を設けた構成を提案する。
【００１２】
そして本発明では，上記構成において，嵌合筒体は，基部フレームの長手部材に直交する方向に設けた構成，又は基部フレームの長手方向に直交する方向から角度を持たせて設けた構成を提案する。
【００１３】
そして本発明では，上記の構成において，基部フレームは，仰臥台の長手方向に並置した長手部材と，それらを結合する幅方向の結合部材とから構成するものとし，嵌合筒体は結合部材を兼用する構成とすることを提案する。
【００１４】
また本発明では上記の構成において，嵌合筒体は，仰臥台の両方の側部側において延設用部材の支持杆を嵌合可能に基部フレームに設けることを提案する。
【００１５】
更に本発明では，前項のクランプ装置は，延設用部材の一端側の上部に上下方向に回動可能に支持した操作レバーと，操作レバーの回動軸よりも離れた位置で，この回動軸と平行な回動軸の回りに回動可能に支持した軸部材と，この軸部材に突設した支持棒体と，支持棒体の先端から下方に突設した第１の挟持部材と，延設用部材の一端側の下部前方に突設した第２の挟持部材とから構成し，第２の挟持部材の前側に係合穴を設けると共に，第１の挟持部材に，係合穴に係合する突部を設け，上記操作レバーは，上記軸部材に対してオーバーセンタートグル機構を構成するように回動範囲を設定した構成とすることを提案する。
【００１６】
また本発明では，上記の構成において，支柱部材の下端側の横方向に支持杆を突設すると共に，延設用部材の他端側に，延設用部材の長手方向と直交する方向に，上記支持杆を嵌合する嵌合筒体を設けると共に，支柱部材と延設用部材とを固定するクランプ装置を設けた構成とすることを提案する。
【００１７】
そして本発明では，前項のクランプ装置は，延設用部材の他端側の上側に，延設用部材の長手方向の回動軸の回りに回動可能に支持した操作レバーと，操作レバーの回動軸よりも離れた位置で，この回動軸と平行な回動軸の回りに回動可能に支持した軸部材と，軸部材に突設した棒体と，棒体の先端に設けた係合突部と，支柱部材の下端側から横方向に突設した連結用板体と，この連結用板体の上部に設けたフック状係合部とを設け，上記操作レバーは，上記軸部材に対してオーバーセンタートグル機構を構成するように回動範囲を設定した構成とすることを提案する。
【００１８】
さらに本発明では，前項の操作レバーの回動軸を延設用部材の幅方向の中央に位置させて左右方向に転動可能に構成することを提案する。
【発明の効果】
【００１９】
本発明の仰臥台取付型介助装置は，一端を仰臥台の基部フレームを構成する長手部材に着脱可能に連結して仰臥台の側部に延設する延設用部材と，この延設用部材の他端に着脱可能に連結して立設させ，その上部側に介助部材の取付部を構成した支柱部材とから構成するので，使用しない場合には，延設用部材を基部フレームから外すと共に，支柱部材を延設用部材から外して格納することができ，格納を小さなスペースで容易に行うことができる。
【００２０】
また支柱部材を延設用部材の端部横側に連結するものでは，延設用部材を基部フレームの長手方向に直交する方向に延設した場合でも，延設用部材からずれて配置され，使用時の足のためのスペースを形成することができる。しかしながら，このスペースは必須ではなく，支柱部材は延設用部材の端部の上側に連結することができる。
【００２１】
延設用部材を基部フレームの長手方向に直交する方向から適宜の角度を持たせて延設することにより，支柱部材を延設用部材の端部横側に連結せずに，使用時における足のためのスペースを形成することもできる。
【００２２】
また本発明では，延設用部材と基部フレームの長手部材との連結は，延設用部材の一端側の前方に突設した支持杆を，基部フレームに設けた嵌合筒体に嵌合した状態でクランプ装置により行う構成とすることにより，着脱が容易なクランプ装置であっても堅固に連結を行うことができ，がたつきの発生を防止することができる。
【００２３】
この構成において，嵌合筒体は，仰臥台の両方の側部側において延設用部材の支持杆を嵌合可能に基部フレームに設ければ，仰臥台の両方の側部のいずれの側にも支柱部材を立設状態で支持することができる。
【００２４】
また本発明では，上記と同様に，支柱部材を延設用部材の端部横側に連結する場合には，支柱部材の一端側の前方に突設した支持杆を，延設用部材に設けた嵌合筒体に嵌合した状態でクランプ装置により行う構成とすることにより，着脱が容易なクランプ装置であっても堅固に連結を行うことができ，がたつきの発生を防止することができる。
【００２５】
このクランプ装置は，延設用部材の端部の両方の横側において連結を行う構成とすることが容易であり，延設用部材に対しての支柱部材の配置換えを容易に行うことができる。
【００２６】
以上のクランプ装置としては，オーバーセンタートグル機構を利用したものとすれば，容易な操作で確実に連結を行うことができる。
【発明を実施するための最良の形態】
【００２７】
次に本発明の実施の形態を添付した図１〜図８を参照して説明する。尚，図１〜図８は，本発明の一つの実施形態に対応するものであり，それらにおいて対応する構成要素には同一の符号を付している。
図１は本発明の第１の実施の形態に係る仰臥台取付型介助装置の構成要素を拡散図的に示した全体斜視図であり，また図２は各構成要素を連結して使用状態とした全体斜視図である。
符号１はベッドや診察台等の仰臥台を示すもので，２は基部フレーム，３は基部フレーム２の上方に適宜の昇降機構，図示の場合にはパンタグラフ式昇降機構を介して昇降可能に支持した床部である。本発明においては，仰臥台１は適宜の構成のものを適用することができる。
【００２８】
この実施の形態において基部フレーム２は，仰臥台の長手方向に並置した一対の長手部材４と，それらを結合する幅方向の結合部材５とから構成するものとし，このうち，図中符号を付した結合部材５，図においては２つの結合部材は筒体として構成し，両端を長手部材４の外面に開口させて，後記嵌合筒体を兼用する構成としている。開口部を符号６で示す。
【００２９】
次に符号７は延設用部材を示すもので，この延設用部材７は，細長いフレーム状に構成している。この延設用部材７の一端側の前方には，上述した結合部材兼用の嵌合筒体５内に嵌合可能な支持杆８を突設すると共に，延設用部材７と長手部材４とを着脱可能に固定するクランプ装置９を設けている。
【００３０】
そこで次に，クランプ装置９の図示例を，要部を拡大した図３，図４を参照して説明すると，このクランプ装置９は，延設用部材７の一端側の上部に上下方向に回動可能に支持した操作レバー１０と，操作レバー１０の回動軸１１よりも離れた位置で，この回動軸１１と平行な回動軸の回りに回動可能に支持した軸部材１２と，この軸部材１２に突設した支持棒体１３と，支持棒体１３の先端から下方に突設した第１の挟持部材１４と，延設用部材７の一端側の下部前方に突設した第２の挟持部材１５とから構成し，第２の挟持部材１５の前側に係合穴１６を設けると共に，第１の挟持部材１４に，係合穴１６に係合する突部１７を設け，上記操作レバー１０は，上記軸部材１２に対してオーバーセンタートグル機構を構成するように回動範囲を設定した構成である。
【００３１】
以上の構成においては，図３に示すように操作レバー１０を上方に回動させて，軸部材１２，従って第１の挟持部材１４を前方に移動させ，上方に位置させる。この状態で，延設用部材７を押して，前方の支持杆８を嵌合筒体５内に嵌合し，第２の挟持部材１５を基部フレーム２の長手部材４の下側に入れると共に，第１の挟持部材１４は長手部材４の上側を越えさせ，次いでその下部の突部１７を第２の挟持部材１５の係合穴１６に係合させる。
【００３２】
この状態で操作レバー１０を下方に回動すると，軸部材１２が次第に引かれるため，第２の挟持部材１５と係合している第１の挟持部材１４は，長手部材４に圧接し，従って第１の部材１４と延設用部材７の前面によって長手部材４を挟持するようになる。次いで更に操作レバー１０を下方に回動して，支持棒体１３が回動軸１１の下方に移行すると，いわゆるオーバーセンタートグル作用が生じて，操作レバー１０は下方への回動限界位置に保持され，従って，第１の挟持部材１４と延設用部材７の前面による長手部材４の挟持状態も保持される。
【００３３】
このようにこの実施の形態では，延設用部材７と基部フレーム２の長手部材４との連結を，延設用部材７の一端側の前方に突設した支持杆８を，基部フレーム２に設けた嵌合筒体５に嵌合した状態でクランプ装置９により行うので，着脱が容易でありながら，堅固に連結を行うことができ，がたつきの発生を確実に防止することができる。
【００３４】
次に，図１，図２及びそれらの要部を拡大した図５，図６，図７において，符号１８は，後述するように介助部材を支持する支柱部材であり，この支柱部材１８の下端側の横方向に支持杆１９を突設しており，また延設用部材７の他端側には，延設用部材７の長手方向と直交する方向に，上記支持杆１９を嵌合する嵌合筒体２０を設けており，この嵌合筒体２０は両端を延設用部材７の側面に開口させている。開口部を符号２１で示す。
【００３５】
そして，延設用部材７と支柱部材１８には，それらを連結するためのクランプ装置２２の構成要素が設けられている。そこで図示のクランプ装置の図示例を示すと，クランプ装置２２は，延設用部材７の他端側の上側に，延設用部材７の長手方向の回動軸２３の回りに回動可能に支持した操作レバー２４と，操作レバー２４の回動軸２３よりも離れた位置で，この回動軸と平行な回動軸の回りに回動可能に支持した軸部材２５と，軸部材２５に突設した棒体２６と，棒体２６の先端に設けた係合突部２７とから成る延設用部材７側の構成要素と，支柱部材１８の下端側から横方向に突設した連結用板体２８と，この連結用板体２８の上部に設けたフック状係合部２９とから成る支柱部材１８側の構成要素とから構成しており，上記操作レバー２４は，上記軸部材２５に対してオーバーセンタートグル機構を構成するように回動範囲を設定した構成としている。
【００３６】
以上の構成において，図５に示す状態において，支柱部材１８を延設用部材７の側部方向に移動させ，前方の支持杆１９を，延設用部材７側の嵌合筒体２０内に嵌合すると共に，連結用板体２８を延設用部材７の上側に至らせる。この移動に際して，操作レバー２４は支柱部材１８方向に回動上昇させて，棒体２６，そして係合突部２７を前方に移動させておき，連結用板体２８が延設用部材７の上側に至らせた際に，係合突部２７をフック状係合部２９よりも支柱部材１８側に至らせる。
【００３７】
この状態で操作レバー２４を下方に回動すると，軸部材２５，従って棒体２６及び係合突部２７が支柱部材１８側から後退する方向に移動して，まず，係合突部２７がフック状係合部２９に係合する。更に操作レバー２４を下方に回動すると，係合突部２７がフック状係合部２９を更に引っ張るため，支柱部材１８の連結用板体２８側の面と，延設用部材７の側部の面とが圧接するようになる。次いで更に操作レバー２４を下方に回動して，棒体２６が回動軸２３の下方に移行すると，いわゆるオーバーセンタートグル作用が生じて，操作レバー２４は下方への回動限界位置に保持され，従って，支柱部材１８の連結用板体２８側の面と，延設用部材７の側部の面との圧接状態も保持される。
【００３８】
このようにこの実施の形態では，支柱部材１８と延設用部材７との連結を，支柱部材１８の下端側の横方向に突設した支持杆１９を，延設用部材７の長手方向と直交する方向に設けた嵌合筒体２０に嵌合した状態でクランプ装置２２によって行うので，着脱が容易でありながら，堅固に連結を行うことができ，がたつきの発生を確実に防止することができる。
【００３９】
尚，前記クランプ装置２２の操作レバー２４の回動軸２３を延設用部材７の幅方向の中央に位置させて左右方向に転動可能に構成すると共に，嵌合筒体２０の開口部２１を延設用部材７の両側部に設ければ，図７に示すように，支柱部材１８を，図２又は図６とは逆側に延設用部材７に連結することができ，配置換えを容易に行うことができる。
【００４０】
同様に，嵌合筒体５の開口部６を仰臥台１の両方の側部に構成することにより，図８に示すように，仰臥台１の両方の側部のいずれの側にも延設用部材７を連結することができ，従ってこのいずれの側にも支柱部材１８を立設状態で支持することができる。
【００４１】
更に，嵌合筒体５は基部フレーム２に図に示すように複数設ければ，夫々を利用して延設用部材７を連結し，支柱部材１８を異なった位置に立設することができる。
【００４２】
以上に示した動作により，延設用部材７の一端側を基部フレーム２の長手部材４に連結すると共に，延設用部材７の他端側に支柱部材１８を連結することにより，支柱部材１８を，仰臥台１の側部の端から適宜離れた位置に支柱部材１８を立設状態で堅固に支持することができ。従って，支柱部材１８に設けた支持部３０に，グリップやパッド等から成る適宜の介助部材３１を支持することにより，仰臥台１の使用者が，仰臥台１に対して乗り降りを行う際に，介助部材３１を用いて身体の保持を容易に確実に行うことができる。
【００４３】
以上に説明した実施の形態におけるクランプ装置９，２２は，オーバーセンタートグル機構を利用した構成であるが，これらのクランプ装置９，２２は，その他，容易に着脱が可能な構成であればカム等を用いた構成や，締め付けねじを用いた構成等を利用することもできる。
【００４４】
また，支柱部材１８と延設用部材７との連結と延設用部材７と支柱部材１８との連結の少なくとも一方側は，クランプ装置を用いずにボルト等を用いて固定しても良い。
【００４５】
次に，支持部３０及び介助部材３１の，図示した一例を説明する。まず，介助部材３１は，種々の形態での把持が可能なフレーム状のグリップ部３２の下側横方向に縦型扁平支持棒体３３を設けた構成である。そして支持部３０は縦型扁平支持棒体３３を横方向に挟持する構成で，前方に開閉可能な可動挟持板３４を設けると共に，この可動挟持板３４を閉じて縦型扁平支持棒体３３を挟持するためのクランプ装置３５を設けている。このクランプ装置３５は，上述したクランプ装置２２と同様な構成であり，即ち，回動可能に支持した操作レバー３６と，操作レバー３６の回動軸３７よりも離れた位置で，この回動軸と平行な回動軸の回りに回動可能に支持した軸部材３８と，軸部材３８に突設した棒体３９と，棒体３９の先端に設けた係合突部４０とから構成すると共に，可動挟持板３４に係合突部４０の係合部を設けたものである。
【００４６】
以上の構成では，可動挟持板３４を開いた状態で縦型扁平支持棒体３３を支持部３０に対して横方向に移動して位置を調節し，その後，クランプ装置３５で可動挟持板３４を縦型扁平支持棒体３３に圧接することにより，介助部材３１を調節した位置に確実に保持することができる。
【００４７】
一方，支柱部材１８は，適宜の昇降機構を利用して，介助部材３１の支持部３０を昇降可能に構成することができ，このような機構の例として，いわゆるガススプリングを利用して，高さ調節とその位置での固定を無段階で行える機構や，電動式，ばね式，ねじ式等の機構を適用することができる。
【００４８】
次に，図９〜図１１は本発明の第２の実施の形態に係る仰臥台取付型介助装置を説明するもので，図９は使用状態の全体斜視図，図１０は延設用部材と支柱部材を仰臥台の基部フレームから外した状態の斜視図，また図１１は延設用部材から支柱部材を外した状態の拡散図的斜視図である。尚，これらの図において，第１の実施の形態の構成要素と同様な構成要素には，図１〜図８と同様な符号を付して重複する説明は省略する。
【００４９】
この第２の実施の形態では，支柱部材１８は延設用部材７の端部の横側に連結するのではなく，延設用部材７の他端の上側に連結する。即ち，符号４１は支柱部材１８の下部に取り付けた連結用部材であり，この連結用部材４１は，延設用部材７の他端を構成する並置した角パイプ部材４２の夫々に上側から係合する係合部４３を設けると共に，この係合部４３と角パイプ部材４２の夫々に対応する取付孔４４を設けた構成であり，これらは図示を省略している取付ボルト等により締め付けて連結する構成である。またこの実施の形態では，延設用部材７の一端側の前方に，仰臥台１の基部フレーム２の長手部材４の上下に係合する係合部材４５を設けて，第１の実施の形態よりも更に堅固に連結を行える構成としている。
【００５０】
尚，以上の実施の形態では，延設用部材を仰臥台の側部に，基部フレームの長手方向に直交する方向に延設しているが，延設用部材は上述したとおり，基部フレームの長手方向に直交する方向に対して適宜の角度を持たせて延設することができるものである。
【産業上の利用可能性】
【００５１】
本発明は以上の通りであるので、産業上の利用において、次のような利点がある。
１．本発明の仰臥台取付型介助装置は，一端を仰臥台の基部フレームを構成する長手部材に着脱可能に連結して仰臥台の側部に延設する延設用部材と，この延設用部材の他端に着脱可能に連結して立設させ，その上部側に介助部材の取付部を構成した支柱部材とから構成するので，使用しない場合には，延設用部材を基部フレームから外すと共に，支柱部材を延設用部材から外して格納することができ，格納を小さなスペースで容易に行うことができる。
【００５２】
２．支柱部材を延設用部材の端部横側に連結するものでは，延設用部材を基部フレームの長手方向に直交する方向に延設した場合でも，延設用部材からずれて配置され，使用時の足のためのスペースを形成することができる。しかしながら，このスペースは必須ではなく，支柱部材は延設用部材の端部の上側に連結することができる。
【００５３】
３．延設用部材を基部フレームの長手方向に直交する方向から適宜の角度を持たせて延設することにより，支柱部材を延設用部材の端部横側に連結せずに，使用時における足のためのスペースを形成することもできる。
【００５４】
４．延設用部材と基部フレームの長手部材との連結及び支柱部材と延設用部材との連結を，支持杆を嵌合筒体に嵌合した状態でクランプ装置により行う構成としたので，着脱が容易なクランプ装置であっても堅固に連結を行うことができ，がたつきの発生を防止することができる。
【００５５】
５．嵌合筒体は，仰臥台の両方の側部側において支持杆を嵌合可能に基部フレームに設ければ，仰臥台の両方の側部のいずれの側にも支柱部材を立設状態で支持することができる。
【００５６】
５．支柱部材は，延設用部材の端部の両方の横側において連結を行う構成とすることが容易であり，延設用部材に対しての支柱部材の配置換えを容易に行うことができる。
【００５７】
６．オーバーセンタートグル機構を利用したクランプ装置を利用することにより，容易な操作で確実な連結を行うことができる。
【図面の簡単な説明】
【００５８】
【図１】本発明の第１の実施の形態に係る仰臥台取付型介助装置の構成要素を拡散図的に示した全体斜視図である。
【図２】図１の各構成要素を連結して使用状態とした全体斜視図である。
【図３】図１の要部に対応する拡大図である。
【図４】図２の構成の要部の一部断面拡大図である。
【図５】他の要部を拡大して各構成要素を拡散図的に示した斜視図である。
【図６】図５の各構成要素を連結して使用状態とした要部拡大斜視図である。
【図７】図５の各構成要素を，逆の位置に連結する状態を示す斜視図である。
【図８】本発明における使用状態の例を模式的に示す平面図である。
【図９】本発明の第２の実施の形態に係る仰臥台取付型介助装置の使用状態の全体斜視図である。
【図１０】本発明の第２の実施の形態に係る仰臥台取付型介助装置において，延設用部材と支柱部材を仰臥台の基部フレームから外した状態の斜視図である。
【図１１】本発明の第２の実施の形態に係る仰臥台取付型介助装置において，延設用部材から支柱部材を外した状態の拡散図的斜視図である。
【図１２】従来の仰臥台取付型介助装置の一例を示す斜視図である。
【図１３】従来の仰臥台取付型介助装置の一例を示す平面図である。
【符号の説明】
【００５９】
１          仰臥台（ベッド，診察台等）
２          基部フレーム
３          床部
４          長手部材
５          結合部材（嵌合筒体）
６          開口部
７          延設用部材
８          支持杆
９          クランプ装置
１０        操作レバー
１１        回動軸
１２        軸部材
１３        支持棒体
１４        第１の挟持部材
１５        第２の挟持部材
１６        係合穴
１７        突部
１８        支柱部材
１９        支持杆
２０        嵌合筒体
２１        開口部
２２        クランプ装置
２３        回動軸
２４        操作レバー
２５        軸部材
２６        棒体
２７        係合突部
２８        連結用板体
２９        フック状係合部
３０        支持部
３１        介助部材
３２        グリップ部
３３        縦型扁平支持棒体
３４        可動挟持板
３５        クランプ装置
３６        操作レバー
３７        回動軸
３８        軸部材
３９        棒体
４０        係合突部
４１        連結用部材
４２        角パイプ部材
４３        係合部
４４        取付孔
４５        係合部材
【図３】
2006341017.tif 000003
【図４】
2006341017.tif 000004
【図５】
2006341017.tif 000005
【図６】
2006341017.tif 000006
【図７】
2006341017.tif 000007
【図８】
2006341017.tif 000008
【図９】
2006341017.tif 000009
【図１０】
2006341017.tif 000010
【図１１】
2006341017.tif 000011
【図１２】
2006341017.tif 000012
【図１３】
2006341017.tif 000013
【図１】
2006341017.tif 000014
【図２】
2006341017.tif 000015